(57)【要約】【課題】投入部に投入された一組の処理単位間での入り繰りを生じることなく、かつ係員による作業を軽減して、紙葉類を効率よく処理し得る紙葉類処理装置を提供する。【解決手段】カード検知部が仕切りカードを検知したことに基づいて、あるいは識別カードを用いた場合にはカード検知部が識別カードを検知した後、位置検知部が一定時間被処理媒体を検知しないことを受けて、紙葉類処理装置の取り込み機構の取り込み動作を停止する。【選択図】      図１
2008165396.tif 000002
【特許請求の範囲】
【請求項１】
作業単位毎に集積された紙葉類、及び前記集積された紙葉類上に配置された仕切りカードを有する１バッチ分の被処理媒体を、１または複数バッチ重ねて一組の処理単位として投入する投入部と、
前記被処理媒体を前記投入部から個々に取り込み、前記被処理媒体を搬送するための搬送路へ導入する取り込み機構と、
前記仕切りカードを検知するためのカード検知部と、
前記搬送路内を搬送される前記被処理媒体の位置を検知する位置検知部と、
前記被処理媒体の特徴を検知し、判別するための鑑査部と、
前記鑑査部における判別結果に基づいて前記被処理媒体を集積する集積部と、
前記カード検知部及び前記位置検知部からの検知情報に基づいて、前記取り込み機構の取り込み動作を制御する制御部と、
を具備することを特徴とする紙葉類処理装置であって、
前記カード検知部が前記仕切りカードを検知したことに基づいて、前記位置検知部が一定時間前記被処理媒体を検知しないことを受けて、前記制御部は、前記取り込み機構の取り込み動作を停止し、前記集積部をロックすることを特徴とする紙葉類処理装置。
【請求項２】
作業単位毎に集積された紙葉類、及び前記集積された紙葉類上に配置された仕切りカードを有する１バッチ分の被処理媒体を、１または複数バッチ重ねて一組の処理単位とし、前記一組の処理単位を識別するための少なくとも１枚の識別カードをその後端に配して投入する投入部と、
前記被処理媒体を前記投入部から個々に取り込み、前記被処理媒体を搬送するための搬送路へ導入する取り込み機構と、
前記仕切りカード及び前記識別カードを検知するためのカード検知部と、
前記搬送路内を搬送される前記被処理媒体の位置を検知する位置検知部と、
前記カード検知部及び前記位置検知部からの検知情報に基づいて、前記取り込み機構の取り込み動作を制御する制御部と、
前記被処理媒体の特徴を検知し、判別するための鑑査部と、
前記鑑査部における判別結果に基づいて前記被処理媒体を集積する集積部とを具備する紙葉類処理装置であって、
前記制御部は、前記カード検知部が前記識別カードを検知したことを受けて、前記被処理媒体の取り込みを停止することを特徴とする紙葉類処理装置。
【請求項３】
前記集積部は１または複数の集積庫を有し、前記識別カードは前記集積庫の数と同じ数だけ投入され、前記制御部は、前記被処理媒体の取り込みを停止したことに基づいて、前記識別カードを、１つの集積庫につき１つ集積させることを特徴とする請求項２に記載の紙葉類処理装置。
【請求項４】
前記カード検知部は、前記仕切りカードを検知するためのカード検知器、及び該カード検知器とは別に設けられた前記識別カードを検知するためのカード検知器を含むことを特徴とする請求項２または３に記載の紙葉類処理装置。
【請求項５】
作業単位毎に集積された紙葉類、及び前記集積された紙葉類上に配置された仕切りカードを有する１バッチ分の被処理媒体を、１または複数バッチ重ねて一組の処理単位とし、投入部に投入する工程、
前記被処理媒体を取り込み機構により前記投入部から個々に取り込み、前記被処理媒体を搬送するための搬送路へ導入する工程、
カード検知部により、前記仕切りカードを検知する工程、
前記被処理媒体の特徴を鑑査部にて検知し、判別する工程、
前記鑑査部における判別結果に基づいて前記被処理媒体を集積部に集積する工程、及び
前記鑑査部における判別結果に基づいて前記集積部に集積される被処理媒体以外の被処理媒体を排除用集積部に集積する工程を具備し、
前記搬送路内を搬送される前記被処理媒体の位置を検知する位置検知部により、前記搬送路内を搬送される前記被処理媒体の位置を監視しながら行われる紙葉類処理方法であって、
前記カード検知部が前記仕切りカードを検知したことに基づいて、前記位置検知部が一定時間前記被処理媒体を検知しないことを受けて、前記制御部は、前記取り込み機構の取り込み動作を停止し、前記集積部をロックすることを特徴とする紙葉類処理方法。
【請求項６】
作業単位毎に集積された紙葉類、及び前記集積された紙葉類上に配置された仕切りカードを有する１バッチ分の被処理媒体を、一組の処理単位とし、前記一組の処理単位を識別するための少なくとも１枚の識別カードを、その後端に配して投入部に投入する工程、
前記被処理媒体を取り込み機構により前記投入部から個々に取り込み、前記被処理媒体を搬送するための搬送路へ導入する工程、
カード検知部により、前記仕切りカードを検知する工程、
前記被処理媒体の特徴を鑑査部にて検知し、判別する工程、
前記鑑査部における判別結果に基づいて前記被処理媒体を集積部に集積する工程、及び
前記鑑査部おける判別結果に基づいて前記集積部に集積される被処理媒体以外の被処理媒体を排除用集積部に集積する工程、及び
カード検知部により、前記識別カードを検知する工程を具備し、
前記搬送路内を搬送される前記被処理媒体の位置を検知する位置検知部により、前記搬送路内を搬送される前記被処理媒体の位置を監視しながら行われる紙葉類処理方法であって、
前記制御部は、前記カード検知部が前記識別カードを検知したことを受けて、前記被処理媒体の取り込みを停止することを特徴とする紙葉類処理方法。
【請求項７】
前記集積部は１または複数の集積庫を有し、前記識別カードは前記集積庫の数と同じ数だけ投入され、前記制御部は、前記被処理媒体の取り込みを停止したことに基づいて、前記識別カードを、１つの集積庫につき１つ集積させることを特徴とする請求項６に記載の紙葉類処理方法。
【請求項８】
前記カード検知部は、前記仕切りカードを検知するためのカード検知器、及び該カード検知器とは別に設けられた前記識別カードを検知するためのカード検知器を含むことを特徴とする請求項６または７に記載の紙葉類処理方法。
【発明の詳細な説明】
【技術分野】
【０００１】
本発明は、例えば紙幣等の紙葉類を判別処理するための紙葉類処理装置、及びこれを用いた紙葉類処理方法に関する。
【背景技術】
【０００２】
紙幣処理機では、袋や封筒に入れられて送られてくる紙幣を袋や封筒から取り出して取込部にセットさせ、このセットされた紙幣を１枚ずつ取り出して判別部に送り、ここで、その券種を判定するとともに、判定結果を集計することによって合計金額を得るようになっている。
【０００３】
計数する紙幣は例えばスーパーマーケット等の銀行顧客から銀行に対する入金現金であり、入金伝票が添付されるか、あるいは袋や封筒に口座番号や金額といった情報が記入されている。紙幣処理機では、袋または封筒の単位で紙幣の計数結果と入金伝票の金額を比較確認する。
【０００４】
従来、計数を入金毎に行う方法としては、１入金毎に袋や封筒を開封して紙幣を取り出し、この紙幣を取込部にセットして入金伝票の内容をインプットし、計数処理を行う方法がある。
【０００５】
しかしながら、この方法では、装置のオペレータが袋や封筒を開封し、紙幣をセットする間は計数装置が停止した状態となるため、スループットが低くなるという問題があった。
【０００６】
そこで、予め入金伝票の内容との関係を登録した番号をバーコード等にて印刷した仕切りカードを各入金間に挟んだ状態で取込部にセットし、このセットした紙幣を連続的に取込んで計数し、仕切りカードを入金の区切りとして認識し、かつ表面のバーコードを読み取って計数と対応させることで、個別の計数を得る方法が考えられている（例えば、特許文献１参照）。
【０００７】
この場合、紙葉類と仕切りカードの組み合わせを１バッチとして複数バッチを処理トレイに入れ、トレイの単位で処理を行っていた。
【０００８】
オペレータは、トレイ内の紙葉類（バッチカードを含む）を計数装置の取り込み部にセットし、計数開始指令を発行すると、計数装置は連続取り込みを行っていた。
【０００９】
計数装置には、紙葉類の種別等やバッチカードを検出するための検知手段が設けられ、検知結果によって紙葉類の選別や計数を行うようになっている。オペレータが、取り込み終了を確認して、計数終了指令を発行することにより、計数装置は紙葉類をカセットに収納し、電子ロックしていた。
【００１０】
しかしながら、この方法では、１トレイ毎に、オペレータによる取り込み終了の確認及び計数終了指令の発行が必要であり、オペレータに負担がかかっていた。
【００１１】
また、複数トレイを処理した場合、カセットの中に複数トレイの紙葉類が混在し、トレイの境目を探すことが困難であった。
【００１２】
トレイ完了時、上位システムにトレイ完了日時しか渡していないため、上位システムでトレイとバッチ情報を紐付けることができなかった。
【特許文献１】特開２００２−３３４３６２号公報
【発明の開示】
【発明が解決しようとする課題】
【００１３】
本発明は、上記事情に鑑みてなされたもので、紙葉類を、投入部に投入された一組の処理単位間での入り繰りを生じることなく、かつ係員による作業を軽減して効率よく処理し得る紙葉類処理装置を提供することにある。
【課題を解決するための手段】
【００１４】
本発明の紙葉類処理装置は、作業単位毎に集積された紙葉類、及び前記集積された紙葉類上に配置された仕切りカードを有する１バッチ分の被処理媒体を、１または複数バッチ重ねて一組の処理単位とし、一組の処理単位を識別するための少なくとも１枚の識別カードを、必要に応じてその後端に配して投入する投入部と、
前記被処理媒体を前記投入部から個々に取り込み、前記被処理媒体を搬送するための搬送路へ導入する取り込み機構と、
前記仕切りカード及び必要に応じて識別カードを検知するためのカード検知部と、
前記搬送路内を搬送される前記被処理媒体の位置を検知する位置検知部と、
前記被処理媒体の特徴を検知し、判別するための鑑査部と、
前記鑑査部における判別結果に基づいて前記被処理媒体を集積する集積部と、
前記カード検知部及び前記位置検知部からの検知情報に基づいて、前記取り込み機構の取り込み動作を制御する制御部と、
を具備することを特徴とする紙葉類処理装置であって、
前記カード検知部が前記仕切りカードを検知したことに基づいて、前記位置検知部が一定時間前記被処理媒体を検知しないことを受けて、あるいは識別カードを用いた場合にはカード検知部が識別カードを検知した後、前記制御部は、前記取り込み機構の取り込み動作を停止し、前記集積部をロックすることを特徴とする。
【００１５】
本発明の紙葉類処理方法は、作業単位毎に集積された紙葉類、及び前記集積された紙葉類上に配置された仕切りカードを有する１バッチ分の被処理媒体を、１または複数バッチ重ねて一組の処理単位とし、一組の処理単位を識別するための少なくとも１枚の識別カードを、必要に応じてその後端に配して投入部に投入する工程、
前記被処理媒体を取り込み機構により前記投入部から個々に取り込み、前記被処理媒体を搬送するための搬送路へ導入する工程、
カード検知部により、前記仕切りカード、及び必要に応じて識別カードを検知する工程、
前記被処理媒体の特徴を鑑査部にて検知し、判別する工程、
前記鑑査部における判別結果に基づいて前記被処理媒体を集積部に集積する工程、及び
前記鑑査部における判別結果に基づいて前記集積部に集積される被処理媒体以外の被処理媒体を排除用集積部に集積する工程を具備し、
前記搬送路内を搬送される前記被処理媒体の位置を検知する位置検知部により、前記搬送路内を搬送される前記被処理媒体の位置を監視しながら行われる紙葉類処理方法であって、
前記カード検知部が前記仕切りカードを検知したことに基づいて、前記位置検知部が一定時間前記被処理媒体を検知しないことを受けて、あるいは識別カードを用いた場合にはカード検知部が識別カードを検知した後、前記制御部は、前記取り込み機構の取り込み動作を停止し、前記集積部をロックすることを特徴とする。
【発明の効果】
【００１６】
本発明によれば、紙葉類を、投入部に投入された一組の処理単位間での入り繰りを生じることなく、かつ係員による作業を軽減して効率よく処理し得る。
【発明を実施するための最良の形態】
【００１７】
以下、この発明の実施の形態について図面を参照して説明する。
【００１８】
図１は、本発明にかかる紙葉類処理装置の一例として、紙幣処理装置１の構成を概略的に表す図を示す。
【００１９】
この紙幣処理装置は、紙幣処理装置本体１と紙幣処理装置本体１を操作するための制御装置２とから構成されている。上記制御装置２が制御する紙幣処理装置本体１は、１台であっても、複数台であっても良い。
【００２０】
紙幣処理装置本体１は、紙幣を種類あるいは状態に応じて区分し、区分した紙幣を種類あるいは状態ごとに集積する区分集積装置１Ａと所定数毎に紙幣を施封する施封装置１Ｂとを有している。上記紙幣処理装置本体１は、１つの区分集積装置１Ａに対して任意の数の施封装置１Ｂが接続可能な構成となっている。この施封装置１Ｂは、省略することができる。
【００２１】
上記区分集積装置１Ａは、複数の種類からなる複数の紙幣が一括して投入される。上記区分集積装置１Ａは、投入された各紙幣の種類及び状態に応じて分類する。上記区分集積装置１Ａは、分類した紙幣を各集積庫（カセット）あるいは施封装置１Ｂへ搬送する。上記施封装置１Ｂは、上記区分集積装置１Ａから供給される紙幣を集積庫（カセット）に集積し、所定数毎に紙帯で施封する。
【００２２】
上記制御装置２は、上記紙幣処理装置本体１の制御、上記紙幣処理装置本体１に対する動作設定、あるいは上記紙幣処理装置本体１による処理データの管理などを行う。上記制御装置２は、たとえば、パーソナルコンピュータにより構成される。上記制御装置２は、後述する表示部、操作部および記憶部などを有している。
【００２３】
紙幣処理装置は、その機能を果たす為に様々な可動部の制御機能や紙幣判別の検知機能を有している。
【００２４】
次に、上記紙幣処理装置本体１の内部の構成について説明する。
【００２５】
図１に示すように、紙幣処理装置本体１は、区分集積装置１Ａおよび施封装置１Ｂにより構成されている。
【００２６】
上記区分集積装置１Ａには、複数の紙葉類Ｐを投入する投入部４が設けられている。
【００２７】
上記投入部４は、処理トレイ５、バックアッププレート６、および、取出しローラ１０を有している。上記処理トレイ５には、複数の紙幣を含む紙葉類Ｐがその上端或いは下端に当接して整位された状態で投入される。
【００２８】
図２に、投入部４の処理トレイ内の被処理媒体の配列の一例を表す模式図を示す。
【００２９】
また、図３に投入部４の処理トレイ内の被処理媒体の配列の他の一例を表す模式図を示す。
【００３０】
図２に示すように、上記投入部４の処理トレイには、被処理媒体として、例えば３バッチ分の紙葉類Ｐ１，Ｐ２，Ｐ３が、一括して投入される。紙葉類Ｐ１，Ｐ２，Ｐ３は、各々、複数の種類が混在する複数の紙幣４２と、その各作業単位の終端に配された仕切りカード４１とを有する。上記処理トレイ５に投入される紙幣４２は、それぞれ長手方向と幅方向とを有する。上記処理トレイ５には、紙幣４２の長手方向の上端或いは下端が下を向く姿勢で投入される。また、仕切りカード４１には、１バッチの被処理媒体の情報を記録したバーコードが設けられている。
【００３１】
また、図３に示すように、上記投入部４の処理トレイには、仕切りカード４１の後端に、識別カード４３をさらに投入することができる。識別カード４３の数は、後述する下記集積庫１４１〜１４６と同じ数であり、この場合は、識別カード４３−１ないし識別カード４３−６の計６枚である。
【００３２】
識別カード４３はバッチカード４１とは異なるコード体系でバーコード番号をつけておくことができる。また、オペレータが容易に認識できるよう、異なる色をつけておくことができる。
【００３３】
上記バックアッププレート６は、上記処理トレイ５に対して鉛直方向に立設されている。上記バックアッププレート６は、ばね８により処理トレイ５に沿って取出しローラ１０側（図中左方向）に移動するようになっている。上記取出しローラ１０は、１対のローラにより構成される。上記取出しローラ１０は、所定方向に回転することにより処理トレイ５上にセットされた、紙幣４２、仕切りカード４１、及び識別カード４３を含む紙葉類Ｐを順に取り出す。したがって、上記投入部４に投入された複数の被処理媒体は、バックアッププレート６によって、処理トレイ５に沿って矢印ａの方向に移動され、取出しローラ１０（取出し部）に押し付けられる。
【００３４】
上記取出しローラ１０の後段には、搬送路１２が設けられている。上記搬送路１２は、複数のローラ１５と搬送ベルト１４、１６により構成されている。上記搬送路１２では、複数のローラ１５により駆動する搬送ベルト１４、１６により被処理媒体が搬送される。上記搬送路１２には、上記取出しローラ１０により取り出された被処理媒体が順に供給される。たとえば、上記取出しローラ１０は、被処理媒体をその上端或いは下端を先頭にして短手方向に搬送路１２に供給する。また、上記取出しローラ１０により搬送路１２上に供給される被処理媒体は、表裏がばらばらの状態となっている。図１に示す構成例では、上記投入部４から取出される被処理媒体の取出し方向は下向きとなっている。
【００３５】
上記取出しローラ１０の後段に延設された搬送路１２上には、カード検知器９０が設けられている。上記カード検知器９０は、例えばバーコードリーダからなり、仕切りカード４１が取り出された場合に、そのバーコードから仕切りカードを検知する。
【００３６】
上記カード検知器９０の後段には、検知部３０が設けられている。上記検知部３０は、種々のセンサにより構成される。上記検知部３０は、被処理媒体の券種、表裏、天地、汚れや破損の有無等の特徴を検知する。上記検知部３０に設けられる種々のセンサは、搬送路１２を搬送される被処理媒体から種々の情報を読み取る。上記検知部３０には、たとえば、被処理媒体の表面の画像を読み取るイメージセンサ、被処理媒体の厚さを検知するセンサ、被処理媒体に含まれる磁性体を検知するセンサなどが設けられる。上記検知部３０の各センサにより読み取った情報に基づいて、後述する判定部は、例えば画像、厚さ、磁気情報のような被処理媒体の特徴を判定する。
【００３７】
図１に示す区分集積装置１Ａでは、表裏および天地がばらばらの状態の複数の被処理媒体が上記投入部４に投入される。このため、上記検知部３０を通過する各被処理媒体も、表裏および天地がばらばらな状態となっている。ここで、上記検知部３０を通過する被処理媒体の表裏および天地に関する向きは４種類ある。以下の説明では、表面が上方を向いて搬送方向前方に対して上端を向けて取出された被処理媒体を表上（ＦＦ）券と称し、表面が上方を向いて搬送方向前方に対して下端を向けて取出された被処理媒体を表下（ＦＲ）券と称し、裏面が上方を向いて搬送方向前方に対して上端を向けて取出された被処理媒体を裏上（ＢＦ）券と称し、裏面が上方を向いて搬送方向前方に対して下端を向けて取出された被処理媒体を裏下（ＢＲ）券と称する。つまり、検知部３０を通過して搬送される被処理媒体は、これら４種類の搬送姿勢のうちいずれかの姿勢で搬送されることになる。
【００３８】
上記検知部３０の後段に延設された搬送路１２上には、カード検知部９８及び検知部３０における検知結果に基づいて被処理媒体の搬送方向を選択的に切換えるための複数のゲートＧ１〜Ｇ９が設けられている。
【００３９】
カード検知部９８は、例えばバーコードリーダからなり、識別カード４３が取り出された場合に、バーコードから識別カード４３を検知する。
【００４０】
この装置では、仕切りカード４１を検知するためのカード検知器９０と識別カード４３を検知するためのカード検知部９８は別々に設けられているが、いずれか一方を省略し、もう一方のカード検知器に仕切りカード４１及び識別カード４３の両方を検知させることも可能である。
【００４１】
ゲートＧ１は、被処理媒体を後段の処理が可能なものとリジェクトするものとに振り分ける。たとえば、上記検知部３０において、後段の処理が不可能であることが判定された被処理媒体は、ゲートＧ１を介してリジェクト箱３２へ搬送され、排除される。後段の処理が不可能な被処理媒体としては、例えば上記仕切りカード、２枚取りが判定された紙幣、所定のレベルを超えて大きくスキューしたことが判定された紙幣、或いは再流通可能な正券と判定されなかった損券や、偽券などがある。上記リジェクト箱３２には、必要に応じて、被処理媒体がリジェクトされたことを検知する排除検知器を設けることもできる。リジェクト箱３２は、紙葉類処理装置１の外部からアクセスが可能となっているので、リジェクト箱３２に集積された被処理媒体は、係員が取り出すことができるようになっている。
【００４２】
一方、検知部３０において後段の処理が可能であると判定された被処理媒体は、ゲートＧ１を介してゲートＧ２へ搬送される。ゲートＧ２は、表裏に応じて被処理媒体を振り分けるようになっている。ゲートＧ２の下流側の搬送路は、２方向に分岐されている。すなわち、ゲートＧ２は、表裏の状態に応じて被処理媒体の搬送方向を２方向に選択的に切換える。
【００４３】
ゲートＧ２の下流側で分岐された一方の搬送路上には、被処理媒体の表裏を反転させるための表裏反転機構３４（表裏反転部）が設けられている。また、ゲートＧ２の下流側で分岐された他方の搬送路３６は、被処理媒体の表裏を変化させずに、単に被処理媒体を通過させる搬送パスとなっている。すなわち、ゲートＧ２の後段では、被処理媒体の表裏を取り揃えられるようになっている。
【００４４】
上記表裏反転機構３４は、２組の搬送ベルト３３、３５により構成される。上記搬送ベルト３３および３５は、その入口から出口に向けて中心軸の回りで１８０°回転されたねじり搬送路を形成している。したがって、上記ゲートＧ２により表裏反転機構３４へ振り分けられた被処理媒体は、表裏反転される。たとえば、ＦＦ券は、上記表裏反転機構３４により表裏反転され、裏面を上にしたＢＦ券に反転される。
【００４５】
上記表裏反転機構３４を通過して表裏反転された被処理媒体、および、上記表裏反転機構３４を通過せずに搬送路（搬送パス）３６を通過した被処理媒体は、いずれも合流部３８を介してゲートＧ３に送り込まれる。
【００４６】
ゲートＧ２から表裏反転機構３４を介して合流部３８に至る被処理媒体の処理時間（搬送時間）とゲートＧ２から搬送路３６を介して合流部３８に至る被処理媒体の搬送時間とが同じになるように設定されている。これにより、表裏反転機構３４を介して搬送された被処理媒体と搬送路３６を通過された被処理媒体とが同じタイミングで合流部３８を通過する。
【００４７】
ゲートＧ３は、合流部３８を通過した被処理媒体を振り分けるようになっている。ゲートＧ３の下流側の搬送路は、２方向に分岐されている。ゲートＧ３は、被処理媒体の種類（あるいは状態）に応じて被処理媒体の搬送方向を２方向に選択的に切換える。
【００４８】
ゲートＧ３の下流側で分岐された一方の搬送路は、被処理媒体を例えば施封装置１Ｂへ搬送するための搬送路である。また、ゲートＧ３の下流側で分岐された他方の搬送路（水平搬送路）４０は、被処理媒体を区分集積装置１Ａ内の各集積庫１４１〜１４６に集積するための搬送路である。また、各集積庫１４１〜１４６には、それぞれ図示しない紙幣の有無を検知するセンサが設けられている。
【００４９】
すなわち、ゲートＧ３により分岐された水平搬送路４０は、複数の集積庫１４１〜１４６の上方で略水平方向に延びた搬送路を形成している。水平搬送路４０上には、被処理媒体を６つの集積庫１４１〜１４６のうちのいずれか１つに振り分けて集積するための５つのゲートＧ５〜Ｇ９が設けられている。
【００５０】
水平搬送路４０の最も上流側にあるゲートＧ５によって選択的に振り分けられた被処理媒体は集積庫１４１に集積される。ゲートＧ６によって選択的に振り分けられた被処理媒体は集積庫１４２に集積される。ゲートＧ７によって選択的に振り分けられた被処理媒体は集積庫１４３に集積される。ゲートＧ８によって選択的に振り分けられた被処理媒体は集積庫１４４に集積される。ゲートＧ９によって選択的に振り分けられた被処理媒体は集積庫１４５或いは集積庫１４６に集積される。
【００５１】
上記施封装置１Ｂは、図１に示すように、集積庫５１、集積庫５２、供給部５３、施封機構５４、印刷機構５５、帯供給部５６を有している。上記集積庫５１、５２は、それぞれゲートＧ４を介して送り込まれた被処理媒体を集積する。各集積庫５１、５２には、それぞれ紙幣の有無を検知するセンサが設けられている。
【００５２】
上記供給部５３は、集積庫５１あるいは５２に集積された所定枚数（たとえば１００枚）の被処理媒体を施封機構５４に供給する。上記施封機構５４は、供給部５３によって供給される集積庫５１あるいは５２に集積された所定枚数（たとえば１００枚）の被処理媒体を紙帯で施封する施封機構である。上記印刷機構５５は、上記施封機構５４で使用する紙帯に所望の印刷データを印刷する。上記帯供給部５６は、上記施封機構５４で使用する紙帯を供給する。
【００５３】
上記施封装置１Ｂには、上記区分集積装置１ＡのゲートＧ３により図中左方向に分岐された搬送路によって被処理媒体が供給される。上記区分集積装置１Ａから供給された被処理媒体Ｐは、施封装置１Ｂ内においてゲートＧ４により搬送方向が２方向に選択的に切換えられる。ゲートＧ４によって分岐搬送される被処理媒体は、施封装置１Ｂ内の集積庫５１あるいは集積庫５２に選択的に集積される。
【００５４】
上記ゲートＧ４を介していずれかの集積庫５１あるいは５２に集積された被処理媒体Ｐは、供給部５３によって施封機構５４へ送り込まれる。上記施封機構５４では、上記帯供給部５６から供給された紙帯によって上記供給部５３により供給された所定枚数の被処理媒体Ｐを施封する。所定枚数毎に施封された被処理媒体の束は、図示しないコンベアを介して装置外へ搬出される。
【００５５】
上記区分集積装置１Ａでは、必要に応じて特定の券種を施封装置１Ｂへ供給し得る。一方、施封装置１Ｂにて施封すべき券種以外の券種の被処理媒体は、上記区分集積装置１Ａ内の集積庫１４１〜１４６のいずれかに集積される。
【００５６】
上記紙葉類Ｐ１，Ｐ２，Ｐ３の取り込みが終わると、続いて、識別カード４３が取り込まれる。識別カード４３−１ないし４３−６が検知部９８で検知されると、被処理媒体の取込みが停止される。取り込まれた識別カード４３−１ないし４３−６は、集積庫１４１〜１４６に１枚ずつ集積され、その後、各集積庫が電子ロックされて、１トレイの処理を完了し得る。
【００５７】
本発明によれば、１バッチ毎すなわち紙葉類Ｐ１，Ｐ２，Ｐ３毎に、システムで一意のトレイ番号を付与しておくことにより、トレイ完了時、１トレイ毎にバッチ情報を紐付けて集計することができる。
【００５８】
また、本発明によれば、続いて、複数トレイを処理した場合、集積庫内の識別カードにより、集積された被処理媒体からトレイの境目を探すことが容易である。
【００５９】
上記紙幣処理装置は、１トレイに、仕切りカード４１と識別カード４３の両方をセットして被処理媒体の処理を行う例であるが、必要に応じて、識別カード４３を省略することができる。この場合、カード検知部９０，９８のいずれか一方を省略することができる。識別カード４３を省略した紙幣処理装置では、カード検知部で仕切りカード検出後、一定時間経過後も搬送される紙葉類がない場合、装置はその仕切りカードがトレイの最後と判断し、自動で被処理媒体の取込みを停止し、集積庫は紙葉類を収納して、電子ロックされ得る。
【００６０】
次に、紙葉類処理システムの制御系について説明する。  
図４は、上記紙葉類処理装置の制御系のブロック図を示す。  
上記紙幣処理装置本体１の区分集積装置１Ａの制御系は、図２に示すように、例えば制御部６０、記憶部６１、取出し制御部６２、搬送制御部６３、ゲート制御部６４、判定部６５、カード検知器９０、及びバーコードリーダ９８などにより構成されている。
【００６１】
カード検知器９０は、仕切りカードのパターン例えばバーコードパターンを検知し、この検知結果を制御部６０に送る。制御部６０は、この検知結果に基づいてバーコードパターンに記載された情報を記憶部６１に蓄積することができる。
【００６２】
上記取出し制御部６２は、制御部６０の制御に基づいて取出しローラ１０の駆動を行うものである。
【００６３】
上記搬送制御部６３は、制御部６０の制御に基づいて搬送ローラ１５の駆動を行うものである。
【００６４】
上記判定部６５は、検知部３０の検知結果に基づいて、紙葉類例えば紙幣Ｐの状態を判定し得る。上記判定部６５では、各センサにより読み取った情報と基準となる情報とを比較することにより紙幣Ｐの特徴を判定する。
【００６５】
たとえば、上記判定部６５は、当該紙幣Ｐの券種を判定するとともに、当該紙幣Ｐの表裏および天地を判定する。さらに、上記判定部６５は、当該紙幣Ｐが正券か損券かを判定する。正券とは、再流通が可能な券であり、損券とは、再流通が不可な券である。つまり、正券か損券かは、紙幣の状態（質）の良し悪しにより判定されるものである。上記判定部６５では、紙幣の汚れ、破れ、折れ、紙質、テープ貼り等の度合いによって正券か損券かを判定する。
【００６６】
また、上記判定部６５は、偽券等を検知し、その検知結果を制御部６０に送ることができる。
【００６７】
上記ゲート制御部６４は、制御部６０の制御に基づいてゲートＧ１〜Ｇ３、Ｇ５〜Ｇ９の駆動を行うものである。例えば、仕切りカード及び偽券等の検知結果を受けて、制御部６０がゲートＧ１を駆動することにより、仕切りカード及び偽券等をリジェクト箱３２に排除することができる。
【００６８】
また、第２のカード検知器９８は、例えば識別カード４３に設けられたバーコードを読み取り、その結果を制御部６０へ送る。
【００６９】
上記制御部６０は、予め設定した動作プログラムに従って区分集積装置１Ａの全体動作を制御する。上記記憶部６１には、上記制御部６０により実行される動作プログラムが記憶される。また、上記記憶部６１は、データの記憶用に用いられる。たとえば、上記記憶部６１には、各集積庫１４１〜１４６、および、施封装置１Ｂの集積庫５１、５２に集積される集積枚数を計数する計数テーブルが設けられている。さらに、上記記憶部６１は、区分集積装置１Ａの動作プログラムの実行に使用される設定情報例えば取出し制御部における取出しトルクの設定値、判定部にて各検知器の検知結果の判定に使用される基準値、搬送制御部における搬送センサレベル、適正な搬送方向に対する紙葉類の角度のずれの許容限度となる整位角、ゲート制御部における集積庫の選択及び集積される券種の設定等の情報が各々複数種ずつ記憶される。
【００７０】
また、制御部６０は、識別カード４３の検知情報を受けて、トレイの境界と判断し、取り出し制御部６２に取込みの停止を指示することができる。取込みの停止の指示を受けて、取り出し制御部６２は、取り出しローラ１０の駆動をＯＦＦすることができる。さらに、制御部６０は、各識別カード４３−１ないし４３−６の検知情報を受けて、ゲート制御部６４に、各識別カード４３−１ないし４３−６を集積庫１４１〜１４６に各々集積するよう指示する。ゲート制御部６４は、ゲートＧ５〜Ｇ９を駆動させて識別カード４３−１ないし４３−６を１枚ずつ集積庫１４１〜１４６に案内して、集積し得る。
【００７１】
上記紙幣処理装置本体１の施封装置１Ｂの制御系は、制御部７０、記憶部７１、搬送制御部７２、ゲート制御部７３、移動機構７４、施封機構５４、印刷機構５５などにより構成されている。  
上記制御部７０は、予め設定した動作プログラムに従って施封装置１Ｂの全体動作を制御する。上記記憶部７１には、上記制御部７０により実行される動作プログラムが記憶される。また、上記記憶部７１には、施封装置１Ｂの動作プログラムを実行するための設定情報例えば施封装置の台数、施封に用いられる紙帯の印刷パターン等の情報が各々複数種ずつ記憶される。上記搬送制御部７２は、上記制御部７０の制御に基づいて搬送ローラを駆動するものである。上記ゲート制御部７３は、上記制御部６０の制御に基づいてゲートＧ４の駆動を行うものである。上記移動機構７４は、上記制御部７０の制御に基づいて上記集積庫５１あるいは５２に集積された所定枚数の紙葉類を移動（搬送）するものである。
【００７２】
上記制御装置２の制御系は、制御部８０、記憶部８１、表示部８２、操作部８３などにより構成されている。  
上記制御部８０は、予め設定した動作プログラムに従って、制御装置２全体の制御を司るものである。たとえば、上記制御部８０は、係員からの操作指示に基づいて上記区分集積装置１Ａに対する各種の動作設定などを行う機能を有する。上記記憶部８１は、上記制御部８０により実行される動作プログラムが記憶される。また、上記記憶部８１には、区分集積装置１Ａの各集積庫１４１〜１４６、および、施封装置１Ｂの集積庫５１、５２に対する設定情報などが設定名に対応して記憶される。また、上記記憶部８１には、制御装置２の動作プログラムを実行するための設定情報例えば使用する国、あるいは操作画面言語等の情報が各々複数種ずつ記憶される。
【００７３】
上記表示部８２は、制御部８０の表示制御に基づいて係員に対する操作案内などを表示するものである。上記操作部８３は、係員が操作指示を入力するものである。上記表示部８２は、ディスプレイ装置などにより構成される。上記操作部８３は、キーボードあるいはマウスなどの入力装置などにより構成される。上記表示部８２と上記操作部８３とは、たとえば、タッチパネル内蔵のディスプレイ装置により構成されるようにしても良い。さらに、上記表示部８２と上記操作部８３とは、タッチパネル内蔵のディスプレイ装置とキーボード等の入力装置とを設けた構成としても良い。
【００７４】
ここでは、例えば集積庫１４１〜１４６、５１、５２の設定は、管理者（スーパーバイザ）により行われるものとする。
【００７５】
図５に、図１、図３、及び図４に示す装置を用いた紙葉類の処理方法の一例を説明するためのフロー図を示す。
【００７６】
図示するように、まず、図３に示すように、処理トレイに紙葉類Ｐ１ないしＰ４、仕切りカード４１、及び識別カード４３を一組の処理単位として配置し、投入部４に投入する。
【００７７】
被処理媒体を取り込み機構により前記投入部から個々に取り込み（ＳＴ１）、被処理媒体を搬送するための搬送路へ導入する。
【００７８】
搬送路内を搬送される被処理媒体の位置は位置検知部により検知し、搬送路内を搬送される前記被処理媒体の位置を監視しながら紙葉類の処理を行なう。被処理媒体の特徴を検知器３０及び判別部６５を有する鑑査部にて鑑査し（ＳＴ２）、紙幣であるかを判別する（ＳＴ３）。
【００７９】
紙幣である場合には、引き続き後続の被処理媒体の取り込み、鑑査を行い、鑑査部における判別結果に基づいて被処理媒体を集積部に集積する。
【００８０】
カード検知部３０または９８によりバーコードを読み取り（ＳＴ４）、仕切りカードまたは識別カードを検知したかどうか判別する（ＳＴ６）。
【００８１】
紙幣でも、識別カードでもない場合には、この被処理媒体を排除券として排除用集積部に集積する。
【００８２】
識別カードであることを検知した場合、この検知結果を受けて、被処理媒体の取り込みを停止する。
【００８３】
識別カードを各集積庫１４１ないし１４６に集積させた後、各集積庫を電子ロックする。
【００８４】
上記方法によれば、投入部に投入された一組の処理単位間での入り繰りを生じることなく、かつ係員による作業を軽減して効率よく紙葉類を処理し得る。また、識別カードを用いると、複数のトレイを処理した場合でもそのトレイの境界が一目でわかる。
【００８５】
図６に、図１、図２、及び図４に示す装置を用いた紙葉類の処理方法の他の一例を説明するためのフロー図を示す。
【００８６】
この方法では、識別カードを使用せず、その代わりに一定時間後続の被処理媒体が取り込まれない場合に自動停止することができる。
【００８７】
図示するように、まず、図２に示すように、処理トレイに紙葉類Ｐ１ないしＰ４、仕切りカード４１を一組の処理単位として配置し、投入部４に投入する。
【００８８】
被処理媒体を取り込み機構により前記投入部から個々に取り込み（ＳＴ１）、被処理媒体を搬送するための搬送路へ導入する。
【００８９】
搬送路内を搬送される被処理媒体の位置は位置検知部により検知し、搬送路内を搬送される前記被処理媒体の位置を監視しながら紙葉類の処理を行なう。被処理媒体の特徴を検知器３０及び判別部６５を有する鑑査部にて鑑査し（ＳＴ２）、紙幣であるかを判別する（ＳＴ３）。
【００９０】
紙幣である場合には、引き続き後続の被処理媒体の取り込み、鑑査を行い、鑑査部における判別結果に基づいて被処理媒体を集積部に集積する。
【００９１】
カード検知部３０または９８によりバーコードを読み取り（ＳＴ４）、仕切りカードを検知したかどうか判別する（ＳＴ６）。
【００９２】
紙幣でも、仕切りカードでもない場合には、この被処理媒体を排除券として排除用集積部に集積する。
【００９３】
仕切りカードであることを検知し、かつ一定時間後続の被処理媒体が取り込まれない場合には、被処理媒体の取り込みを停止する。
【００９４】
上記方法によれば、投入部に投入された一組の処理単位間での入り繰りを生じることなく、かつ係員による作業を軽減して効率よく紙葉類を処理し得る。
【図面の簡単な説明】
【００９５】
【図１】本発明にかかる紙葉類処理装置の一例の構成を概略的に表す図
【図２】処理トレイ内の紙葉類の配列の一例を表す模式図
【図３】処理トレイ内の紙葉類の配列の他の一例を表す模式図
【図４】紙葉類処理装置の制御系のブロック図
【図５】本発明にかかる紙葉類の処理方法の一例を説明するためのフロー図
【図６】本発明にかかる紙葉類の処理方法の他の一例を説明するためのフロー図
【符号の説明】
【００９６】
１…紙葉類処理装置、４…投入部、５…処理トレイ、１０…取出しローラ、３０…検知部、３２…、４１…仕切りカード、４２…紙幣、４３…識別カード、６０，７０，８０…制御部、６１，７１，８１…記憶部、６２…取出し制御部、６３…搬送制御部、６５…判定部、６４…ゲート制御部、９０，９８…カード検知器、９７…排除検知部、１４１，１４２，１４３，１４４，１４５，１４６…集積庫１４１
【図１】
2008165396.tif 000003
【図２】
2008165396.tif 000004
【図３】
2008165396.tif 000005
【図４】
2008165396.tif 000006
【図５】
2008165396.tif 000007
【図６】
2008165396.tif 000008